(57)【要約】  電池パックは、一対の幅広面と、一対の幅狭面と、底面と、前記底面に対向して形成された外部端子とを有する複数の二次電池セルを備えた電池群と、一側面と、前記一側面に隣接する他側面と、前記他側面に対向する対向側面とを有し、前記電池群を収容する筐体と、前記筐体の前記対向側面側に配置され、前記電池群の前記外部端子に接続されるパック外部端子を備え、前記電池群の前記二次電池セルは、相互に、前記幅広面を対向して積層して構成され、前記電池群は、最下層の前記二次電池セルの前記幅広面と前記筐体の前記一側面とが熱伝導可能に結合され、かつ、前記二次電池セルの前記底面と前記筐体の前記他側面とが熱伝導可能に結合された状態で前記筐体内に収容され、前記筐体の前記対向側面の高さが、前記他側面の高さより低い。
2018143463.tif 000002
【特許請求の範囲】
【請求項１】
一対の幅広面と、一対の幅狭面と、底面と、前記底面に対向して形成された外部端子とを有する複数の二次電池セルを備えた電池群と、
一側面と、前記一側面に隣接する他側面と、前記他側面に対向する対向側面とを有し、前記電池群を収容する筐体と、
前記筐体の前記対向側面側に配置され、前記電池群の前記外部端子に接続されるパック外部端子を備え、
前記電池群の前記二次電池セルは、相互に、前記幅広面を対向して積層して構成され、
前記電池群は、最下層の前記二次電池セルの前記幅広面と前記筐体の前記一側面とが熱伝導可能に結合され、かつ、前記二次電池セルの前記底面と前記筐体の前記他側面とが熱伝導可能に結合された状態で前記筐体内に収容され、
前記筐体の前記対向側面の高さが、前記他側面の高さより低い、電池パック。
【請求項２】
請求項１に記載の電池パックにおいて、
前記パック外部端子の上端は、前記筐体の前記対向側面の上端よりも高い位置に配置されている、電池パック。
【請求項３】
請求項１に記載の電池パックにおいて、
前記電池群のすべての前記二次電池セルの前記底面が、前記筐体の前記他側面に熱伝導可能に結合されている、電池パック。
【請求項４】
請求項１に記載の電池パックにおいて、
前記電池群の最下層の前記二次電池セルの前記幅広面と前記筐体の前記一側面とは、板状部材を介して熱伝導可能に結合されている、電池パック。
【請求項５】
請求項１に記載の電池パックにおいて、
前記電池群の最下層の前記二次電池セルの前記幅広面と前記筐体の前記一側面とは、放熱シートを介して熱伝導可能に結合されている、電池パック。
【発明の詳細な説明】
【技術分野】
【０００１】
本発明は、電池パックに関する。
【背景技術】
【０００２】
近年、複数のリチウムイオン二次電池などで構成された電池群を備える電池パックは、電気自動車、ハイブリッド電気自動車、あるいは電気機器の電源として利用されている。
二次電池セルは、充電する際に流れる電流と内部抵抗に起因する発熱が生じるため、電池パックには冷却機能を備えるものが多い。【０００３】
このような従来の電池パックの一例として、筐体内に収容された電池群の底面に、熱伝達シートを介して冷媒の流通路を有する熱分散パイプを配置し、熱分散パイプに放熱フィンを有する放熱部材を密着して配置した冷却装置を有する構造が知られている（例えば、特許文献１参照）。
【先行技術文献】
【特許文献】
【０００４】
【特許文献１】日本国特開２０１２−０１８９１５号公報
【発明の概要】
【発明が解決しようとする課題】
【０００５】
特許文献１に記載された電池パックは構造が複雑な冷却構造を有しているため、組付けの作業性が悪い。
【課題を解決するための手段】
【０００６】
本発明の一態様によると、電池パックは、一対の幅広面と、一対の幅狭面と、底面と、前記底面に対向して形成された外部端子とを有する複数の二次電池セルを備えた電池群と、一側面と、前記一側面に隣接する他側面と、前記他側面に対向する対向側面とを有し、前記電池群を収容する筐体と、前記筐体の前記対向側面側に配置され、前記電池群の前記外部端子に接続されるパック外部端子を備え、前記電池群の前記二次電池セルは、相互に、前記幅広面を対向して積層して構成され、前記電池群は、最下層の前記二次電池セルの前記幅広面と前記筐体の前記一側面とが熱伝導可能に結合され、かつ、前記二次電池セルの前記底面と前記筐体の前記他側面とが熱伝導可能に結合された状態で前記筐体内に収容され、前記筐体の前記対向側面の高さが、前記他側面の高さより低い。
【発明の効果】
【０００７】
本発明によれば、簡素な構造となり、組付けの作業性を向上することができる。
【図面の簡単な説明】
【０００８】
【図１】本発明の電池パックの一実施の形態としての外観斜視図。
【図２】図１に示す電池パックの上カバーを開放した状態の斜視図。
【図３】図２に図示された電池モジュールの斜視図。
【図４】図３に図示された電池モジュールのバスバーケースを除いた状態の分解斜視図。
【図５】図４に図示された電池群の分解斜視図。
【図６】図２に図示されたコンタクタモジュールの斜視図。
【図７】図６に図示されたコンタクタモジュールを、後方側から観た斜視図。
【図８】図２に示す電池モジュールのＩＩＸ−ＩＩＸ線断面図。
【図９】電池群と筐体との配置関係を説明するための側面図。
【図１０】電池群と筐体との熱結合構造の変形例を示す断面図。
【発明を実施するための形態】
【０００９】
以下、本発明の電池パックの一実施の形態を、図面を参照して説明する。
図１は、本発明の電池パックの一実施の形態としての外観斜視図であり、図２は、図１に示す電池パックの上カバーを開放した状態の斜視図である。
電池パック１は、ケース本体２と上カバー３とからなる筐体を有する。ケース本体２および上カバー３は、樹脂または金属により形成されている。ケース本体２は、底面２ａ、前側面２ｂ、後側面２ｃ、左側面２ｄおよび右側面２ｅを有し、内部が空間とされたボックス状に形成されている。
なお、以下の説明において、左右方向、前後方向、上下方向は図示の通りとする。
【００１０】
ケース本体２の前側面２ｂは後側面２ｃより低く形成されている。ケース本体２の左・右側面２ｄ、２ｅは、その上端面が、前側面２ｂと同じ高さの平坦部と、該平坦部から前側面２ｂの上端面に延在される傾斜部とを有する。上カバー３は、上面３ａ、前側面３ｂ、後側面３ｃ、左側面３ｄおよび右側面３ｅを有する。上カバー３の前側面３ｂは、後側面３ｃより高く形成されている。上カバー３の左・右側面３ｄ、３ｅは、その下端面が、前側面３ｂと同じ高さの平坦部と、該平坦部から後側面３ｃの下端面に延在される傾斜部とを有する。ケース本体２と上カバー３とは、それぞれの平坦部の長さと、傾斜部の長さおよび傾斜角度がほぼ同じに形成されており、筐体４が直方体形状となるように組み合わされる。
【００１１】
上カバー３の前面側の左右端部側には、それぞれ、凹部１３ａ、１３ｂが形成されている。凹部１３ａ、１３ｂのそれぞれの底部には、開口が形成されており、凹部１３ａの開口からは、パック負極端子６１が、凹部１３ｂの開口からはパック正極端子６２が、それぞれ外部に突出している。また、凹部１３ｂの底面上には信号コネクタ４が取付けられている。パック負極端子６１およびパック正極端子６２は、ケース本体２の前側面２ｂより高い位置に配置されている。但し、パック負極端子６１およびパック正極端子６２それぞれの上端は、後述する電池モジュール１０の上面より低い位置に配置されている。ケース本体２の信号コネクタ４には、凹部１３ｂの側面に設けられた開口を挿通する配線部材が接続されている。
【００１２】
ケース本体２の内部には、電池モジュール１０およびコンタクタモジュール４０が収容されている。電池モジュール１０は、ケース本体２の左・右側面２ｄ、２ｅの傾斜部に対応する位置、すなわち、ケース本体２の後方側に配置されている。コンタクタモジュール４０は、ケース本体２の左・右側面２ｄ、２ｅの平坦部に対応する位置、すなわち、ケース本体２の前方側に配置されている。なお、本一実施の形態では、電池モジュール１０は、イオンリチウム角形二次電池セルを有する電池モジュールとして説明する。
【００１３】
図３は、図２に図示された電池モジュールの斜視図であり、図４は、図３に図示された電池群の分解斜視図である。図５は、図４に図示された電池群の分解斜視図である。
電池モジュール１０は、２つの電池群２０ａ、２０ｂと、電池群２０ａ、２０ｂの前方に配置されたバスバーケース２７と、上下一対のエンドプレート３３、３４と、左右一対のサイドプレート３６と、センタープレート３５とを有している。エンドプレート３３、３４、一対のサイドプレート３６、およびセンタープレート３５は、アルミニム等の金属により形成されている。
【００１４】
図５に示されるように、各電池群２０ａ、２０ｂは、複数（実施の形態では６個として例示）の二次電池セル２１を有し、左右に並置されている。電池群２０ａと電池群２０ｂとは、同一の構造を有する。二次電池セル２１は薄い直方体形状を有しており、底面２１ａ、一対の幅広面２１ｂおよび一対の幅狭面２１ｃを有する電池缶と、該電池缶の底面２１ａに対向して形成された開口部（図示せず）を覆って設けられ、電池缶を密封する電池蓋とからなる電池容器を有する。各二次電池セル２１は、幅広面２１ｂを対向させて、上下方向に積層されている。上下に隣接する二次電池セル２１の間、最上層の二次電池セル２１の上方および最下層の二次電池セル２１の下方には、絶縁板２４が配置されている。絶縁板２４は、例えば、ＰＢＴ（ポリブチレンテレフタレート）により形成されている。
【００１５】
二次電池セル２１の電池蓋には、正極端子３８と、負極端子３９とが、該電池蓋２３と絶縁した状態で取付けられている。正・負極端子３８、３９には、それぞれ、図示はしないが、電池容器内に収容された発電要素の正・負極接続部が接続されている。各二次電池セル２１は、上下に隣接する他の二次電池セル２１とは、一方の二次電池セル２１の正極端子３８と他方の二次電池セル２１の負極端子３９とが対向するように、交互に、一対の幅広面２１ｂの表裏面を反転して積層されている。
【００１６】
上下に隣接する一方の二次電池セル２１の正極端子３８と他方の二次電池セル２１の負極端子３９とが、セル間バスバー３１（図３参照）により接続されている。正極端子３８および負極端子３９とセル間バスバー３１とは、例えば、溶接により接合する。これにより、各電池群２０ａ、２０ｂを構成する複数の二次電池セル２１は、電気的に直列に接続されている。
【００１７】
電池群２０ａの最上層の正極端子３８ａは、左側の電池群２０ｂ付近に配置されており、電池群２０ａの最高電位部となっている。電池群２０ａの最下層の負極端子３９ａは、左側の電池群２０ｂ付近に配置されており、電池群２０ａの最低電位部となっている。電池群２０ｂの最下層の正極端子３８ｂは、右側の電池群２０ａ付近に配置されており、電池群２０ｂの最高電位部となっている。電池群２０ａの最低電位の負極端子３９ａと電池群２０ｂの最高電位の正極端子３８ｂとは、群間バスバー（図示せず）により接続されている。左側の電池群２０ｂの最上層の負極端子３９ｂは、電池群２０ａ付近に配置されており、電池群２０ｂの最低電位部となっている。このように、電池群２０ａと電池群２０ｂは、電気的に直列にされ、電極群２０ａの最上層の正極端子３８ａが電池群２０ａと電池群２０ｂの最高電位部となっており、電池群２０ｂの最上層の負極端子３９ｂが電池群２０ａと電池群２０ｂの最低電位部となっている。
【００１８】
電池群２０ａと電池群２０ｂとは、それぞれ、センタープレート３５の左右に配置される。各サイドプレート３６は、それぞれ、電池群２０ａの右側面と、電池群２０ｂの左側面に配置される。各サイドプレート３６の上下面には、ピン３７（図４参照）が設けられている。エンドプレート３３、３４は、それぞれ、電池群２０ａ、２０ｂ、センタープレート３５および一対のサイドプレート３６の上面全面または下面全面を覆う大きさを有するほぼ平坦状の部材である。図４に示されるように、各エンドプレート３３、３４には、一対のサイドプレート３６を固定する取付部３３ａ、３４ａおよびセンタープレート３５を固定する取付部３３ｂ、３４ｂが設けられている。各取付部３３ａ、３４ａには、位置決め用孔３３ｃ、３４ｃおよび貫通孔３３ｄ、３４ｄが設けられている。取付部３３ｂ、３４ｂには、貫通孔３３ｄ、３４ｄが設けられている。また、エンドプレート３４には、取付用孔３４ｆを有する固定片３４ｅが形成されている。
【００１９】
電池モジュール１０は、電池群２０ａ、２０ｂを構成する二次電池セル２１が、一対のサイドプレート３６により、左右方向からセンタープレート３５に押し付けられ、また、一対のエンドプレート３４、３６により上下方向から絶縁板２４を介して押し付けられた状態に構成されている。以下に、このように構成する方法を説明する。
【００２０】
エンドプレート３４上にセンタープレート３５、電池群２０ａ、２０ｂおよび一対のサイドプレート３６を配置し、電池群２０ａ、２０ｂを、サイドプレート３６を介して、左右方向からセンタープレート３５側に押し付ける。このとき、電池群２０ａ、２０ｂのそれぞれとセンタープレート３５との間に伝熱シートを介装するようにしてもよい。このようにして、エンドプレート３４の各位置決め用孔３４ｃに、各サイドプレート３６のピン３７の左右方向の位置を一致させる。そして、各サイドプレート３６のピン３７をエンドプレート３４の位置決め用孔３４ｃに挿通する。この状態で、ボルト等の締結部材をエンドプレート３４の貫通孔３４ｄに挿通して、エンドプレート３４にセンタープレート３５および一対のサイドプレート３６を固定する。
【００２１】
同様に、各サイドプレート３６のピン３７に、エンドプレート３３の位置決め用孔３３ｃを位置合わせして、エンドプレート３３の位置決め用孔３３ｃに各サイドプレート３６のピン３７を挿通し、ボルト等の締結部材をエンドプレート３３の貫通孔３３ｄに挿通して、エンドプレート３３をセンタープレート３５および一対のサイドプレート３６に固定する。
このようにして、電池群２０ａ、２０ｂを構成する二次電池セル２１が左右方向および上下方向に固縛された電池モジュール１０が得られる。
【００２２】
上記一実施の形態では、電池群２０ａ、２０ｂのそれぞれを、一対のエンドプレートで固縛するのではなく、２つの電池群２０ａ、２０ｂを一対のエンドプレート３３、３４により固縛している。このため、コスト低減を図ることができ、また、組付け作業が容易となる。
【００２３】
また、電池群２０ａ、２０ｂとエンドプレート３３、３４との位置合わせは、電池群２０ａ、２０ｂの左端側および右端側の２箇所のみで行っており、これにより、位置決めの精度および作業の効率化を図ることができる。さらに、エンドプレート３３、３４は、電池群２０ａ、２０ｂの左端側および右端側においてサイドプレート３６に固定するのみでなく、中央部においてもセンタープレート３５に固定している。このため、エンドプレート３３、３４の反りを抑制することができ、以て、エンドプレート３３、３４の厚さを低減し、コスト低減を図ることができる。
【００２４】
図３に示されるように、バスバーケース２７は、電池群２０ａ、２０ｂの前面側に配置されている。バスバーケース２７は、電池群２０ａ、２０ｂの前面、およびセル間バスバー３１を一部露出した状態で覆っている。バスバーケース２７の前面には、端子配置部２８が設けられている。端子配置部２８の左右方向の中央には、上方に突出する分離壁２８ａが形成されている。端子配置部２８の上面は、分離壁２８ａにより、正極端子配置面２８ｂと負極端子配置面２８ｃに分離されている。正極端子配置面２８ｂ上には、電池群２０ａ、２０ｂの最高電位部である正極端子３８ａに接続されたバスバー３２ａの先端部が配置されている。負極端子配置面２８ｃ上には、電池群２０ａ、２０ｂの最低電位部である負極端子３９ｂに接続されたバスバー３２ｂの先端部が配置されている。
【００２５】
図６は、図２に図示されたコンタクタモジュールの斜視図であり、図７は、図６に図示されたコンタクタモジュールを、後方側から観た斜視図である。
コンタクタモジュール４０は、ホルダ４１と、ホルダ４１に収納された基板４２、リレー（コンタクタ）４３、ヒューズ４４およびシャント抵抗４５等の電装品を備えている。ホルダ４１には、前方に突出する正極端子固定部４１ａと、負極端子固定部４１ｂが形成されている。正極端子固定部４１ａ上には、パック正極端子６２が固定され、負極端子固定部４１ｂ上にはパック負極端子６１が固定されている。シャント抵抗４５は、ねじ等の締結部材により基板４２に取付けられている。シャント抵抗４５は、電源投入時における電流を制限して異常の発生を防止する。シャント抵抗４５の一端は、接続用バスバー６１ａを介してパック負極端子６１に接続されている。
【００２６】
基板４２は、電池モジュール１０に対面する側において、換言すれば、ホルダ４１の後面側において、ボルト等の締結部材によりホルダ４１に取付けられている。基板４２には、セル間バスバー３１が接続されており、各二次電池セル２１の電圧を測定、監視し、また、電池パック１全体の監視や制御を行うＢＭＳ（バッテリマネージメントシステム）を構成するための回路が実装されている。
【００２７】
リレー４３およびヒューズ４４は、ねじ等の締結部材により、ホルダ４１に取付けられている。リレー４３の一端とヒューズ４４の一端とはバスバーにより接続されている。ヒューズ４４の他端は、接続用バスバー６２ａを介してパック正極端子６２に接続されている。リレー４３の他端は、接続用バスバー６３ａに接続されている。接続用バスバー６３ａは、電池モジュール１０のバスバーケース２７に取付けられたバスバー３２ａ（図３参照）に接続される。接続用バスバー６３ａとバスバー３２ａとの接続は、接続用バスバー６３ａおよびバスバー３２ａに設けられた貫通孔にボルト９１（図８参照）等の締結部材を挿通して両者を固定することによりなされる。このようにして、パック正極端子６２と電池群２０ａ、２０ｂとの正極側の電圧経路が形成される。なお、リレー４３およびヒューズ４４は、保守点検の際の安全性を確保するための安全装置用の電装品である。
【００２８】
シャント抵抗４５の他端は、接続用バスバー６３ｂを介して電池モジュール１０のバスバーケース２７に取付けられたバスバー３２ｂ（図３参照）に接続される。接続用バスバー６３ｂとバスバー３２ｂとの接続は、接続用バスバー６３ｂおよびバスバー３２ｂに設けられた貫通孔にボルト９１（図８参照）等の締結部材を挿通して両者を固定することによりなされる。このようにして、パック負極端子６１と電池群２０ａ、２０ｂとの負極側の電圧経路が形成される。
つまり、パック正極端子６２は、コンタクタモジュール４０に装着された電装品を介して電池モジュール１０に固定された電池群２０ａ、２０ｂの最高電位部に接続され、パック負極端子６１は、コンタクタモジュール４０に装着された電装品を介して電池モジュール１０に固定された電池群２０ａ、２０ｂの最低電位部に接続される。
【００２９】
図８は、図２に示す電池モジュールのＩＩＸ−ＩＩＸ線断面図であり、図９は、電池群と筐体との配置関係を説明するための側面図である。なお、図９では、構造を解り判り易く示すため、ケース本体２を透過した状態で内部構造を図示している。
電池モジュール１０は、図３に示されるエンドプレート３４の固定片３４ｅの取付用孔３４ｆにボルト等の取付用部材を挿通して、ケース本体２の底面２ａ（一側面）の内面に固定される。このため、電池モジュール１０のエンドプレート３４は、ケース本体２の底面２ａに接触する。また、電池モジュール１０は、電池群２０ａ、２０ｂの各二次電池セル２１の底面２１ａがケース本体の後側面２ｃの内面に接触する状態でケース本体２に固定される。ケース本体２の後側面２ｃの高さ（上下方向の長さ）は、電池群２０ａ、２０ｂの高さよりも大きく形成されている。従って、電池群２０ａ、２０ｂの二次電池セル２１は、すべて、その底面２１ａがケース本体２の後側面２ｃに接触する。つまり、電池モジュール１０は、ケース本体２の底面２ａおよび後側面２ｃと熱伝導可能に結合されている。
【００３０】
従って、電池群２０ａ、２０ｂを構成する各二次電池セル２１に生じた熱は、ケース本体２の底面２ａおよび後側面２ｃに伝導され、各二次電池セル２１は、ケース本体２により冷却される。なお、電池群２０ａ、２０ｂの各二次電池セル２１は、センタープレート３５を介してケース本体２の底面２ａに伝導される。
【００３１】
図９に図示されるように、ケース本体２の前側面２ｂの高さ（上下方向の長さ）は、電池群２０ａ、２０ｂの高さよりも低く形成されている。そして、コンタクタモジュール４０のホルダ４１に固定されたパック正極端子６２およびパック負極端子６１は、ケース本体２の前側面２ｂの上面よりも高い位置に配置されている。このため、電池モジュール１０およびコンタクタモジュール４０をケース本体２の内部に収納する作業を容易かつ効率的に行うことができる。また、パック正極端子６２、接続用バスバー６２ａおよびパック負極端子６１、接続用バスバー６１ａのホルダ４１への組付けを容易かつ効率的に行うことができる。
【００３２】
パック正極端子６２およびパック負極端子６１それぞれの上端は、ケース本体２の前側面２ｂの上端よりも高い位置に配置されている。このため、パック正極端子６２およびパック負極端子６１にＨＶケーブルを接続する作業を容易に行うことが可能となる。
【００３３】
電池モジュール１０の各二次電池セル２１は、正・負極端子３８、３９をケース本体２の内方側、すなわち、コンタクタモジュール４０側に向けて配置されている。そして、電池モジュール１０のバスバー３２ａ、３２ｂとコンタクタモジュール４０の接続用バスバー６３ａ、６３ｂとを接続している。また、パック負極端子６１、パック正極端子６２、接続用バスバー６１ａ、６２ａ、６３ａ、６３ｂは、ほぼ同じ高さに配置されている。このため、接続用バスバー６１ａ、６２ａ、６３ａ、６３ｂの長さを短くすることができるので、充放電の際の電圧降下を抑制することができる。
【００３４】
パック正極端子６２およびパック負極端子６１の上端は、電池モジュール１０の上面よりも低い位置に配置されている。パック正極端子６２およびパック負極端子６１を電池モジュール１０側に配置すると、パック正極端子６２およびパック負極端子６１が電池モジュール１０の上方に突出する構造となる。本一実施の形態では、パック正極端子６２およびパック負極端子６１を、電池モジュール１０が配置されたケース本体２の後側面２ｃとは反対側の前側面２ｂ側に配置したので、パック正極端子６２およびパック負極端子６１の上端を、電池モジュール１０の上面よりも低い位置に配置することが可能となっている。これにより、電池パック１の高さを低くすることができる。
【００３５】
（変形例）
図１０は、電池群と筐体との熱結合構造の変形例を示す断面図であり、図８に相当する図である。
上記一実施の形態においては、電池モジュール１０の各電池群２０ａ、２０ｂは、エンドプレート３４を介してケース本体２の底面２ａに接触する構造であった。これに対し、図１０に図示される変形例においては、各電極群２０ａ、２０ｂが、直接、ケース本体２の底面２ａに接触している。
【００３６】
変形例に示す構造では、電池群２０ａ、２０ｂの下方側にエンドプレートが配置されておらず、上方側にエンドプレート３３のみが配置されている。エンドプレート３３は、締結部材によりケース本体２に設けられたボス（図示せず）に固定されており、電池群２０ａ、２０ｂをケース本体２の底面２ａに固縛する。これにより、電池群２０ａ、２０ｂは、ケース本体２の底面２ａに熱伝導可能に結合される。
変形例における他の構成は、上記一実施の形態と同様であり、同一の部材に同一の参照符号を付して説明を省略する。
【００３７】
なお、図１０に示す構造において、電池群２０ａ、２０ｂの最下層の二次電池セル２１とケース本体２の底面２ａとの間に放熱シート６５（点線で示す）を介装するようにしてもよい。また、図８に示す構造において、エンドプレート３４とケース本体２の底面２ａとの間に放熱シート６５を介装することも可能である。
さらに、図１０に示す構造において、電池群２０ａ、２０ｂの最下層の二次電池セル２１とケース本体２の底面２ａとの間に、エンドプレート３４のような板状部材を介装することもできる。つまり、電池群２０ａ、２０ｂの最下層の二次電池セル２１とケース本体２の底面２ａとの間に配置される板状部材は、電池群２０ａ、２０ｂを固縛する機能を有する部材に限らず、電池群２０ａ、２０ｂを固縛する機能を有していない部材であってもよい。
【００３８】
なお、電池パック１は、ケース本体２の底面２ａを水平姿勢にして設置する他、ケース本体２の底面２ａを垂直姿勢にして設置することができる。
【００３９】
本発明の一実施の形態によれば，下記の効果を奏する。
（１）電池群２０ａ、２０ｂは、複数の二次電池セル２１を、相互に、幅広面２１ｂを対向して積層して構成されており、最下層の二次電池セル２１の幅広面２１ｂと筐体の一側面（底面２ａ）とが熱伝導可能に結合され、かつ、二次電池セル２１の底面２１ａと筐体の他側面（後側面２ｃ）とが熱伝導可能に結合された状態で筐体内に収容された構造を有する。このため、二次電池セル２１で生じた熱は、ケース本体２の底面２ａおよび後側面２ｃに伝導され、ケース本体２により冷却される。このように、本実施の形態の電池パック１は、二次電池群２０ａ、２０ｂを冷却するために冷媒の流通路を有する冷却装置を有していない簡素な構造であるため、組付けの作業性を向上することができる。また、筐体の対向側面（前側面２ｂ）の高さが、他側面（後側面２ｃ）の高さより低くされている。このため、電池モジュール１０やコンタクタモジュール４０を筐体内の奥深くまで把持した状態で筐体内に装着することができ、作業性を向上することができる。
【００４０】
（２）パック外部端子（パック正極端子６２およびパック負極端子６１）の上端は、筐体の対向側面（前側面２ｂ）の上端よりも高い位置に配置されている。このため、パック外部端子にＨＶケーブルを接続する作業を容易に行うことが可能となる。
【００４１】
（３）電池群２０ａ、２０ｂのすべての二次電池セル２１の底面２１ａが、筐体の他側面（後側面２ｃ）に熱伝導可能に結合されている。このため、筐体により各二次電池セル２１を冷却する冷却性能を向上することができる。
【００４２】
（４）電池群２０ａ、２０ｂの最下層の二次電池セル２１の幅広面２１ｂと筐体の一側面（底面２ａ）とは、板状部材（エンドプレート３４）を介して熱伝導可能に結合されている。このため、板状部材を電池群２０ａ、２０ｂを固縛する固縛部材と、該固縛部材により電池群２０ａ、２０ｂを筐体の一側面に固定する固定部材に兼用する構造を採用することも可能であり、電極群２０ａ、２０ｂの筐体への装着が容易なる。
【００４３】
（５）電池群２０ａ、２０ｂの最下層の二次電池セル２１の幅広面２１ｂと筐体の一側面とは、放熱シートを介して熱伝導可能に結合される構造とすることができる。この構造では、構造が一層簡単となり、コストの低減を図ることができる。
【００４４】
上記一実施の形態では、筐体内に２つの電池群２０ａ、２０ｂを収納する構造として例示した。しかし、筐体内に収納する電池群の数は、１つまたは３つ以上とすることができる。また、各電池群２０ａ、２０ｂの二次電池セル２１の数を６個として例示したが、この個数に限られるものではなく、任意に増減することが可能である。
【００４５】
上記一実施の形態では、ケース本体２の左・右側面２ｅ、２ｆに直線状に傾斜する傾斜部を形成した構造として例示した。しかし、傾斜部は直線状ではなく、湾曲状にしたり、あるいは、傾斜部に替えて階段状にしたりすることができる。
【００４６】
上記一実施の形態では、リチウムイオン二次電池セルを有する電池パックとして例示した。しかし、本発明を、ニッケル水素電池セル、鉛電池セル、ニッケルカドミウム電池セル等、リチウムイオン二次電池セル以外の二次電池セルを有する電池パックに適用することができる。また、本発明を、リチウイオンキャパシタ等の蓄電素子を有する電池パックに適用することもできる。
【００４７】
上記一実施の形態では、コンタクタモジュール４０は、基板４２、リレー４３、ヒューズ４４およびシャント抵抗４５等の電装品を有する構造として例示した。しかし、コンタクタモジュール４０が備える電装品の種類や数は、これよりも多くしたり、少なくしたりしてもよい。
【００４８】
上記では、種々の実施の形態および変形例を説明したが、本発明はこれらの内容に限定されるものではない。本発明の技術的思想の範囲内で考えられるその他の態様も本発明の範囲内に含まれる。
【００４９】
次の優先権基礎出願の開示内容は引用文としてここに組み込まれる。
日本国特許出願２０１７年第０１９８６８号（２０１７年２月６日出願）
【符号の説明】
【００５０】
１      電池パック
２      ケース本体
２ａ    底面（一側面）
２ｂ    前側面（対向側面）
２ｃ    後側面（他側面）
１０      電池モジュール
２０ａ、２０ｂ    電池群
２１      二次電池セル
２１ａ    底面
２１ｂ    幅広面
２１ｃ    幅狭面
３４      エンドプレート（板状部材）
３８、３８ａ、３８ｂ      正極端子（外部端子）
３９、３９ａ、３９ｂ      負極端子（外部端子）
６１      パック負極端子（パック外部端子）
６２      パック負極端子（パック外部端子）
６５      放熱シート
【図１】
2018143463.tif 000003
【図２】
2018143463.tif 000004
【図３】
2018143463.tif 000005
【図４】
2018143463.tif 000006
【図５】
2018143463.tif 000007
【図６】
2018143463.tif 000008
【図７】
2018143463.tif 000009
【図８】
2018143463.tif 000010
【図９】
2018143463.tif 000011
【図１０】
2018143463.tif 000012
【国際調査報告】
2018143463.tif 000013
2018143463.tif 000014
2018143463.tif 000015
2018143463.tif 000016